(57)【要約】      （修正有）【課題】庫内天井に取り付ける庫内灯の厚さを従来の蛍光灯式に比較して約１／２以下に、重量を約１／３に軽減して直取り付けができるようにすると共に蛍光灯式庫内灯取り付け用の落し込み穴にも取り付けができる庫内灯を提供する。【解決手段】ＬＥＤを組み込んだケース本体１１の裏側の周縁に沿って落し込み段部１４を形成し、この落し込み段部１４内にケース本体１１の裏面と同一のレベルになるように高さが設定されたアダプター１６を着脱自在に取り付ける。そして、直に取り付ける場合には、アダプター１６をつけたまま庫内天井２ａにビスで固定する。蛍光灯式庫内灯に替えて取り付ける場合には、アダプター１６を取り外し、ケース本体１１の落し込み部１１ａを庫内天井の落し込み穴に落し込んでビスで固定する。【選択図】図１
0003136924.tif 000002
【実用新案登録請求の範囲】
【請求項１】
内部にＬＥＤを組み込み、正面を透明なカバーで被ったケース本体の裏側の中央に落し込み部を形成すると共に、この落し込み部の周囲に沿って落し込み段部を形成し、この落し込み段部内に前記ケース本体の落し込み部の裏面と同一レベルとなるように高さが設定されたアダプターを着脱自在に取り付けて成る庫内灯。
【請求項２】
前記ケース本体内と外とを連通するように通気孔を形成すると共に、この通気孔に外側からの水分の浸入を阻止し、内側からの通気を確保する通気シートを取り付けて成る請求項１に記載の庫内灯。
【請求項３】
前記ケース本体にアダプターを取り付けた状態で庫内天井に直接取り付けられた請求項１に記載の庫内灯。
【請求項４】
前記ケース本体からアダプターを取り外し、庫内天井に形成した庫内灯取り付け用の落し込み穴内にケース本体の裏面に形成された落し込み部を落し込み、ケース本体の落し込み段部を前記落し込み穴の周縁に係合させて庫内天井に取り付けられた請求項１に記載の庫内灯。
【考案の詳細な説明】
【技術分野】
【０００１】
本考案は、コンテナ車あるいは冷凍車のように、運転席の後方に貨物の収容庫を形成して成る貨物自動車の所謂庫内灯に関するものである。
【背景技術】
【０００２】
図８に冷凍車１と、冷凍庫２内の庫内天井２ａに取り付けられた庫内灯３を示し、図９（Ａ）には、前記庫内灯３を取り付けるために庫内天井２ａに切られた落し込み穴７を示し、図９（Ｂ）には内部に蛍光灯５を組み込み、裏に落し込み部４を形成し、この落とし込み部４の周囲に取付枠３ａを形成した庫内灯３の裏側を示す。この庫内灯３は、図９（Ａ）の庫内天井２ａに形成された落し込み穴７内に落し込み部４を落し込み、図９（Ｂ）に示す取付枠３ａのところでビス８、ビス孔９、９ａを用いて図８に示すように庫内天井２ａに取り付けられる。
図８において、符号の６は庫内灯３の正面に取り付けられた透明カバーである。
しかし、上記のように庫内灯３を落し込み方式で庫内に取り付ける場合、次のような欠点がある。
【０００３】
１．庫内灯３を落し込み方式で取り付ける理由は、蛍光灯５の場合、どうしても内部に高  さが必要であるため、庫内灯３を直接天井２ａに取り付けると、庫内に出張る量が多く  なり、貨物の出し入れ等に際して邪魔になったり、貨物を庫内灯にぶつけて破損したり  する心配があるので、この出張り量を少なくするためであるが、庫内天井２ａに落し込  み穴７を切る必要があるため、これに手間がかかる。
２．落し込み穴７を形成した場合、パッキン等を用いて気密を図っても、このパッキンの  劣化等により、庫内の冷気が洩れることがある。
３．庫内天井２ａに落し込み穴をあけるため、庫内天井２ａの強度が低下する。
【考案の開示】
【考案が解決しようとする課題】
【０００４】
本考案の第一の目的は、庫内灯をＬＥＤを用いて薄形に形成し、落し込み方式ではなく、直接庫内天井に取り付けることができる庫内灯を提供することである。
第二の目的は、従来の落し込み方式で取り付けられていた蛍光灯式の庫内灯の落し込み穴をそのまま利用して蛍光灯式に換えて取り付けができる庫内灯を提供することである。
第三の目的は、庫内から冷気が洩れ出ないように取り付けを行うことができる庫内灯を提供することである。
第四の目的は、庫内天井の強度を低下させないで取り付けができる庫内灯を提供することである。
【課題を解決するための手段】
【０００５】
上記目的を達成するため、請求項１に記載の庫内灯にあっては、内部にＬＥＤを組み込み、正面を透明なカバーで被ったケース本体の裏側の中央に落し込み部を形成すると共に、この落し込み部の周囲に沿って落し込み段部を形成し、この落し込み段部内に前記ケース本体の落し込み部の裏面と同一レベルとなるように高さが設定されたアダプターを着脱自在に取り付けて成ることを特徴とするものである。
【０００６】
更に、請求項２に記載の発明においては、請求項１に記載の庫内灯において、前記ケース本体内と外とを連通するように通気孔を形成すると共に、この通気孔に外側からの水分の浸入を阻止し、内側からの通気を確保する通気シートを取り付けて成ることを特徴とするものである。
【０００７】
更に、請求項３に記載の発明においては、請求項１に記載の庫内灯において、前記ケース本体にアダプターを取り付けた状態で庫内天井に直接取り付けられたことを特徴とするものである。
【０００８】
更に、請求項４に記載の発明においては、請求項１に記載の庫内灯において、前記ケース本体からアダプターを取り外し、庫内天井に形成した庫内灯取り付け用の落し込み穴内にケース本体の裏面に形成された落し込み部を落し込み、ケース本体の落し込み段部を前記落し込み穴の周縁に係合させて庫内天井に取り付けられたことを特徴とするものである。
この方式で取り付けると、庫内灯の出張りを限りなく小さくできる。
【考案の効果】
【０００９】
本考案は上記のとおり、従来の蛍光灯に替えてＬＥＤを用いたことにより、蛍光灯式に比較して庫内灯の厚さ（高さ）を約１／２に、重量を約１／３に軽減できる。
また、庫内灯の厚さが蛍光灯に比較して約１／２となったことにより、庫内天井に直接取り付けることができるため、従来のように落し込み穴を切る必要がなく、手間がかからないと共に落し込み穴が無くなったことにより冷気洩れの心配もなく、加えて庫内天井の強度を低下させることもない。
また、落し込み穴内に取り付けられた蛍光灯式の庫内灯を取り外し、ここにアダプターを取り外した本考案の庫内灯を落し込み方式で取り付けることができるため、蛍光灯式の庫内灯を省電力型のＬＥＤ式庫内灯に付け替えができる。
【実施例】
【００１０】
図１〜図７に基づいて本考案に係る庫内灯の実施例を詳述する。図１は本考案に係る庫内灯をアダプター（Ａ）と灯本体（Ｂ）に分けた状態の斜視図、図２はカバーを取り外した状態の灯本体の正面図、図３はＡ−Ａ´線断面図、図４は庫内天井に本考案に係る庫内灯を直に取り付けを行った状態をの説明図、図５は庫内天井に本考案に係る庫内灯を取り付けた状態の断面図、図６は通気孔部分の断面図、図７は本考案に係る庫内灯を既設の落し込み穴内に取り付けた状態を示す断面図である。
【００１１】
上記各図において、符号の１０は、庫内灯全体を示し、１１はこの庫内灯１０において、ＬＥＤ基板１２を組み込み、表面に透明なカバー１３をビス１３ａで取り付けて成る灯本体（ケース）であって、この灯本体１１の裏面の中央には、前記ＬＥＤ基板１２を含む部品を組み込んで成る落し込み部（膨出部）１１ａを形成すると共に、この落し込み部１１ａの正面側の周囲に落し込み段部（取付枠）１４を形成し、この落し込み段部１４にビス貫通孔１５を形成した構成である。
１６は、前記灯本体１１の落し込み段部１４に着脱自在に嵌合された四角枠形状のアダプターであって、このアダプター１６の中央には、前記灯本体１１の落し込み部１１ａが収まる枠穴１７が形成され、枠体部１８にはビス貫通孔１９が形成されている。
【００１２】
図２において、２０は灯本体１１の落し込み部１１ａの底面に形成された通気孔であって、この通気孔２０は、図６に示すように内部に浸入する水分を遮断し、内部からの通気を確保する通気シート２１が取り付けられていて、灯本体１１において、カバー１３が曇るのを防止している。なお、通気シート２１としては、ゴアテックス（登録商標）のようなものが最適である。
以上に説明した本考案に係る庫内灯１０は、図５に示すように、通常は庫内天井２ａにビス２２、貫通孔１５、１９を用いて直接に取り付けられるものである。
但し、従来の蛍光灯式庫内灯に換えて取り付ける場合には、図７に示すように、アダプター１６を取り外し、落し込み穴７内に落し込み部１１ａを落し込み、ビス２２、貫通孔１５で落し込み段部１４を庫内天井２ａに取り付ける。この落し込み方式で庫内灯１０を取り付けた場合、図５に示した直に取り付けた場合に比較して、庫内に対する出張り量Ｈを更に１／２以上少なくすることができる。
【産業上の利用可能性】
【００１３】
本考案は、冷凍車の庫内灯以外にコンテナ車の庫内灯に実用化が可能である。
【図面の簡単な説明】
【００１４】
【図１】本考案に係る庫内灯であって、（Ａ）はアダプター、（Ｂ）は灯本体
【図２】庫内灯本体の正面図
【図３】Ａ−Ａ´線断面図
【図４】庫内灯を直に取り付けたときの説明図
【図５】庫内灯を直に取り付けたときの断面図
【図６】通気孔の説明図
【図７】庫内灯を落し込みで取り付けたときの説明図
【図８】冷凍車と庫内灯の説明図
【図９】（Ａ）は庫内天井に形成した蛍光灯式庫内灯取り付け用の落し込み穴の説明図、（Ｂ）は従来の蛍光灯式庫内灯の説明図
【符号の説明】
【００１５】
１０  庫内灯
１１  庫内灯本体
１２  ＬＥＤ基板
１３  カバー
１４  落し込み段部
１５  ビス貫通孔
１６  アダプター
１７  枠穴
１８  枠体部
１９  ビス貫通孔
２０  通気孔
２１  通気シート
２２  ビス
【図１】
0003136924.tif 000003
【図２】
0003136924.tif 000004
【図３】
0003136924.tif 000005
【図４】
0003136924.tif 000006
【図５】
0003136924.tif 000007
【図６】
0003136924.tif 000008
【図７】
0003136924.tif 000009
【図８】
0003136924.tif 000010
【図９】
0003136924.tif 000011